(57)【要約】【課題】本発明は、タブレットパソコンの傾斜角度を調節できるタブレットパソコン支持装置を提供することを目的とする。【解決手段】本発明に係るタブレットパソコン支持装置は、入力装置と、前記入力装置にスライド可能に装着されるスライド部材と、前記スライド部材に回転可能に連接されるヒンジと、前記ヒンジに回転可能に連接される支持部と、を備える。前記入力装置から離れるように前記スライド部材をスライドさせると、前記タブレットパソコンの底部は前記スライド部材の前記入力装置と隣接する箇所に支持され、前記支持部の前記ヒンジから離れる端は前記タブレットパソコンの前記入力装置から離れる側にに当接され前記タブレットパソコンを支持し、前記スライド部材の前記入力装置からの突出量を変更することで前記タブレットパソコンの傾斜角度を変更する。【選択図】図４
2015022767.tif 000002
【特許請求の範囲】
【請求項１】
入力装置と、
前記入力装置にスライド可能に装着されるスライド部材と、
前記スライド部材に回転可能に連接されるヒンジと、
前記ヒンジに回転可能に連接される支持部と、
を備えてなるタブレットパソコン支持装置であって、
前記入力装置から離れるように前記スライド部材をスライドさせると、前記タブレットパソコンの底部は前記スライド部材の前記入力装置と隣接する箇所に支持され、前記支持部の前記ヒンジと離れる端は前記タブレットパソコンの前記入力装置から離れる側に当接され前記タブレットパソコンを支持し、前記スライド部材の前記入力装置からの突出量を変更することで前記タブレットパソコンの傾斜角度を変更することを特徴とするタブレットパソコン支持装置。
【請求項２】
前記支持部の前記ヒンジと離れる端は前記タブレットパソコンの前記入力装置から離れる側にスライド可能に当接され、前記入力装置に向けて又は前記入力装置から離れるように前記タブレットパソコンを回転することによって、前記タブレットパソコンの前記入力装置に対して傾斜する角度を調節することも可能であることを特徴とする請求項１に記載のタブレットパソコン支持装置。
【請求項３】
前記タブレットパソコンが前記入力装置に対して傾斜する時、前記ヒンジは前記入力装置から離れるように回転し、前記スライド部材に対して平行に位置することを特徴とする請求項１または２に記載のタブレットパソコン支持装置。
【発明の詳細な説明】
【技術分野】
【０００１】
本発明は、タブレットパソコン支持装置に関するものである。
【背景技術】
【０００２】
従来の技術において、タブレットパソコンを支持するタブレットパソコン支持装置は、タブレットパソコンの傾斜角度を調節できないため、タブレットパソコンを使用する際、不便である。
【発明の概要】
【発明が解決しようとする課題】
【０００３】
本発明の目的は、前記問題を解決し、タブレットパソコンの傾斜角度を調節できるタブレットパソコン支持装置を提供することである。
【課題を解決するための手段】
【０００４】
上記目的を達成するために、本発明に係るブレットパソコン支持装置は、入力装置と、前記入力装置にスライド可能に装着されるスライド部材と、前記スライド部材に回転可能に連接されるヒンジと、前記ヒンジに回転可能に連接される支持部と、を備える。前記入力装置から離れるように前記スライド部材をスライドさせると、前記タブレットパソコンの底部は前記スライド部材の前記入力装置と隣接する箇所に支持され、前記支持部の前記ヒンジから離れる端は前記タブレットパソコンの前記入力装置から離れる側にに当接され前記タブレットパソコンを支持し、前記スライド部材の前記入力装置からの突出量を変更することで前記タブレットパソコンの傾斜角度を変更する。
【発明の効果】
【０００５】
本発明に係るタブレットパソコン支持装置は、スライド部材をスライドし、タブレットパソコンを入力装置に対して異なる角度に傾斜できる。
【図面の簡単な説明】
【０００６】
【図１】本発明の実施形態に係るタブレットパソコン支持装置及びタブレットパソコンの組立斜視図である。
【図２】図１に示すタブレットパソコン支持装置及びタブレットパソコンの分解側面図である。
【図３】図２に示すタブレットパソコン支持装置及びタブレットパソコンの組立側面図である。
【図４】図１に示すタブレットパソコン支持装置及びタブレットパソコンの組立側面図であって、タブレットパソコンが入力装置に対して第一角度傾斜している状態を示す図である。
【図５】図４に示すタブレットパソコン支持装置及びタブレットパソコンの組立側面図であって、タブレットパソコンが入力装置に対して第一角度より小さい第二角度傾斜している状態を示す図である。
【発明を実施するための形態】
【０００７】
図１〜図３に示したように、本発明の実施形態に係るタブレットパソコン支持装置は、タブレットパソコン１０を支持し且つタブレットパソコン１０を異なる角度に傾斜させることができる。
【０００８】
タブレットパソコン支持装置は、入力装置２０と、スライド部材２２と、ヒンジ２３と、支持部２４と、を備える。入力装置２０の底部には、スライドスロット２１が設けられている。スライド部材２２は、このスライドスロット２１内にスライド可能に装着され且つ入力装置２０の後側(即ち、図２において右側)から延出する。スライド部材２２の第一端は、スライドスロット２１内に収容される。ヒンジ２３の第一端は、スライド部材２２の第二端に回転可能に連接され、ヒンジ２３の第二端は、支持部２４の第一端に回転可能に連接される。本実施形態において、入力装置２０は、ブルートゥース（登録商標）キーボードである。
【０００９】
タブレットパソコン支持装置を組み立てる際、スライド部材２２をスライドスロット２１内に挿入する。この際、タブレットパソコン１０は、入力装置２０の上面に且つ入力装置２０に対して平行に位置し、タブレットパソコン１０のディスプレイ部(図示せず)は、入力装置２０に面する。次いで、支持部２４を、入力装置２０に対して平行に位置させ且つタブレットパソコン１０におけるディスプレイ部と反対の背面側に当接させる。また、ヒンジ２３を、スライド部材２２と支持部２４とに垂直に連接する。
【００１０】
図４及び図５を参照すると、タブレットパソコン１０を使用する際、タブレットパソコン１０を入力装置２０から離れるようにスライドさせると、スライド部材２２はスライドスロット２１に沿ってスライドして、入力装置２０の後側から延出する。次いで、タブレットパソコン１０を後方へ回転させると、タブレットパソコン１０の底部はスライド部材２２の入力装置２０に隣接する箇所に支持される。この時、ヒンジ２３は入力装置２０と離れるように回転し、スライド部材２２に対して平行に位置する。支持部２４も入力装置２０と離れるように回転し、タブレットパソコン１０に対して斜めに延伸し、支持部２４の第二端はタブレットパソコン１０の背面側に当接し、傾斜するタブレットパソコン１０を支持する。
【００１１】
タブレットパソコン１０を入力装置２０と離れるように押すことによって、支持部２４は更に入力装置２０から離れるように回転し、支持部２４の第二端はタブレットパソコン１０の背面側に沿って上方へスライドし、入力装置２０に対してより大きい角度に傾斜するタブレットパソコン１０を支持する。これとは逆に、タブレットパソコン１０を入力装置２０に向かって回転させると、支持部２４は入力装置２０に向けて回転し、支持部２４の第二端はタブレットパソコン１０の背面側に沿って下方へスライドし、入力装置２０に対してより小さい角度に傾斜するタブレットパソコン１０を支持する。また、図４及び図５に示すように、スライド部材２２のスライドスロット２１からの突出量を変更することでタブレットパソコン１０の傾斜角度を変更することも可能である。
【００１２】
本発明のタブレットパソコン支持装置は、タブレットパソコン１０を入力装置２０に対して９０度から１８０度まで位置するよう調節できる。
【符号の説明】
【００１３】
１０  タブレットパソコン
２０  入力装置
２１  スライドスロット
２２  スライド部材
２３  ヒンジ
２４  支持部
【図１】
2015022767.tif 000003
【図２】
2015022767.tif 000004
【図３】
2015022767.tif 000005
【図４】
2015022767.tif 000006
【図５】
2015022767.tif 000007